(57)【要約】【課題】トイレを隅々まで隈なく洗うことができ、水切り性が良好なトレイブラシを提供する。【解決手段】トイレブラシは、作業者が把持するためのホルダー部と、ホルダー部から下方に伸びる柄部と、柄部の端部に設けられたブラシ部とを有するトイレブラシであって、ブラシ部は、柄部の端部に取り付けられた板状体と、板状体の面に設けられた長短のブラシ毛とを有する。【選択図】図１
2018143741.tif 000002
【特許請求の範囲】
【請求項１】
作業者が把持するためのホルダー部と、前記ホルダー部から下方に伸びる柄部と、前記柄部の端部に設けられたブラシ部とを有するトイレブラシであって、
前記ブラシ部は、前記柄部の前記端部に取り付けられた板状体と、前記板状体の面に設けられた長短のブラシ毛とを有する
ことを特徴とするトイレブラシ。
【請求項２】
請求項１記載のトレイブラシにおいて、
前記長短のブラシ毛は、前記板状体の前記面上に設けられた複数の長いブラシ毛と、前記複数の長いブラシ毛の間に設けられた複数の短いブラシ毛とを有する
ことを特徴とするトイレブラシ。
【請求項３】
請求項１又は２記載のトレイブラシにおいて、
前記板状体は、平面形状が、縦長の長方形で下端が丸みを帯びた半円形のＤ字型形状であり、厚さが、前記柄部に取り付けられた上端部分が最も厚く、下端に向かうにつれ薄くなり、下端部分が最も薄く、
前記長短のブラシ毛は、前記板状体の表面と裏面と上端面とに設けられている
ことを特徴とするトイレブラシ。
【請求項４】
請求項１乃至３のいずれか１項に記載のトレイブラシにおいて、
前記ホルダー部と前記柄部との間に設けられ、横方向に広がる鍔部を更に有し、
前記鍔部は、トイレブラシを収納するスタンドの蓋部として機能する
ことを特徴とするトイレブラシ。
【発明の詳細な説明】
【技術分野】
【０００１】
本発明はトイレブラシに関する。
【背景技術】
【０００２】
従来、清掃箇所に応じてブラシ部を湾曲させることが出来ると共に、必要以上に撓むことを防止することが出来るトイレブラシとして、柄部と柄部の一端に延設されたブラシ部とからなり、柄部とブラシ部との境界に縮径部が設けられ、該縮径部に複数の円板が略等間隔に並設されているトレイブラシが知れている（特許文献１参照）。
【０００３】
また、水切り性が良く、便器の開口部の縁裏等の汚れを容易に清掃することができるトイレブラシとして、 柄部に連結した合成樹脂の芯材部と、芯材部の板状体に巻き付けた内層の吸水層と外層の摺擦層とから成る巻付部材とを備え、板状体はその先端部を稍々上方に折曲し、先端部の先方には巻付部材を２つ折りにし、重ね合わせた可撓部を設けたトイレブラシが知られている（特許文献２参照）
【先行技術文献】
【特許文献】
【０００４】
【特許文献１】特開２００１−２７５８８６号公報
【特許文献１】特開２０１５−０５８１６０号公報
【発明の概要】
【発明が解決しようとする課題】
【０００５】
しかしながら、従来のトレイブラシでは、トイレを隅々まで隈なく洗うことができず、水切り性も不十分であった。
【０００６】
本発明の目的は、トイレを隅々まで隈なく洗うことができ、水切り性が良好なトレイブラシを提供することにある。
【課題を解決するための手段】
【０００７】
本発明に係るトイレブラシは、作業者が把持するためのホルダー部と、前記ホルダー部から下方に伸びる柄部と、前記柄部の端部に設けられたブラシ部とを有するトイレブラシであって、前記ブラシ部は、前記柄部の前記端部に取り付けられた板状体と、前記板状体の面に設けられた長短のブラシ毛とを有することを特徴とする。
【０００８】
上述したトレイブラシにおいて、前記長短のブラシ毛は、前記板状体の前記面上に設けられた複数の長いブラシ毛と、前記複数の長いブラシ毛の間に設けられた複数の短いブラシ毛とを有するようにしてもよい。
【０００９】
上述したトレイブラシにおいて、前記長短のブラシ毛は、前記板状体の前記面上に設けられた複数の長いブラシ毛と、前記複数の長いブラシ毛の間に設けられた複数の短いブラシ毛とを有するようにしてもよい。
【００１０】
上述したトレイブラシにおいて、前記板状体は、平面形状が、縦長の長方形で下端が丸みを帯びた半円形のＤ字型形状であり、厚さが、前記柄部に取り付けられた上端部分が最も厚く、下端に向かうにつれ薄くなり、下端部分が最も薄く、前記長短のブラシ毛は、前記板状体の表面と裏面と上端面とに設けられているようにしてもよい。
【００１１】
上述したトレイブラシにおいて、前記ホルダー部と前記柄部との間に設けられ、横方向に広がる鍔部を更に有し、前記鍔部は、トイレブラシを収納するスタンドの蓋部として機能するようにしてもよい。
【発明の効果】
【００１２】
以上の通り、本発明によれば、作業者が把持するためのホルダー部と、ホルダー部から下方に伸びる柄部と、柄部の端部に設けられたブラシ部とを有するトイレブラシであって、ブラシ部は、柄部の端部に取り付けられた板状体と、板状体の面に設けられた長短のブラシ毛とを有するので、トイレを隅々まで隈なく洗うことができ、良好な水切り性を確保することができる。
【図面の簡単な説明】
【００１３】
【図１】図１は本発明の一実施形態によるトイレブラシの斜視図である。
【図２】図２は本発明の一実施形態によるトイレブラシの正面図及び背面図である。
【図３】図３は本発明の一実施形態によるトイレブラシの平面図及び底面図である。
【図４】図４は本発明の一実施形態によるトイレブラシの左側面図及び右側面図である。
【図５】図５は本発明の一実施形態によるトイレブラシのブラシ部の詳細を示す図である。
【図６】図６は本発明の一実施形態によるトイレブラシを収納するスタンドを示す斜視図である。
【図７】図７は本発明の一実施形態によるトイレブラシをスタンドに収納しようとする状態を示す図である。
【図８】図８は本発明の一実施形態によるトイレブラシをスタンドに収納した状態を示す図である。
【発明を実施するための形態】
【００１４】
［一実施形態］
（トイレブラシ）
本発明の一実施形態によるトイレブラシについて図１乃至図５を用いて説明する。図１は本実施形態によるトイレブラシの斜視図であり、図２（ａ）、（ｂ）はそれぞれ本実施形態によるトイレブラシの正面図及び背面図であり、図３（ａ）、（ｂ）はそれぞれ本実施形態によるトイレブラシの平面図及び底面図であり、図４（ａ）、（ｂ）はそれぞれ本実施形態によるトイレブラシの左側面図及び右側面図であり、図５は本実施形態によるトイレブラシのブラシ部の詳細を示す図である。
【００１５】
本実施形態のトイレブラシ１０は、上端に設けられたホルダー部１２と、ホルダー部１２に連続して横方向に広がる鍔部１４と、ホルダー部１２から伸びる柄部１６と、柄部１６の下端に設けられたブラシ部２０により構成されている。
【００１６】
ホルダー部１２は、作業者がトイレブラシ１０を把持するためのものである。
【００１７】
ホルダー部１２の形状は、例えば、下方がわずかに広がった戴頭円錐台形状である。ホルダー部１２の戴頭円錐台形状は、例えば、高さ、約１２０ｍｍ、上端の直径、約２５ｍｍ、下端の直径、約３５ｍｍである。
【００１８】
ホルダー部１２は、例えば、ＡＢＳ樹脂、ポリプロピレン等の合成樹脂により形成されている。
【００１９】
鍔部１４は、後述するトイレブラシ１０を収納するスタンド３０の上端部に係止するためのものである。鍔部１４は、トイレブラシ１０をスタンド３０に収納したときに、後述する上端部が開放したスタンド３０の蓋部としても機能する。
【００２０】
鍔部１４は、ホルダー部１２と柄部１６の間に位置し、ホルダー部１２から連続して横方向に広がっている。鍔部１４の平面形状は、二つの等しい長さの平行線と二つの半円形からなる角丸長方形形状である。例えば、角丸長方形の長辺は、約９５ｍｍ、短辺は、約５７ｍｍである。鍔部１４の厚さは、約７ｍｍである。
【００２１】
鍔部１４は、例えば、ホルダー部１２と同様のＡＢＳ樹脂、ポリプロピレン等の合成樹脂により形成されている。
【００２２】
柄部１６は、ホルダー部１２から下方に伸びてブラシ部２０を保持するためのものである。
【００２３】
柄部１６の形状は、ホルダー部１２から鉛直下方に伸び、横方向に偏移して、再び鉛直下方に伸びる棒形状をしている。柄部１６の棒形状は、例えば、直径、約８ｍｍ、長さ、約１７０ｍｍである。
【００２４】
柄部１６は、例えば、ステンレススチール等の金属により形成されている。
【００２５】
ブラシ部２０は、トイレの汚れを落とすためのものである。
【００２６】
ブラシ部２０の詳細について図５を用いて説明する、
ブラシ部２０は、柄部１６の下端に取り付けられた板状体２２に、大小のブラシ毛２４ａ、２４ｂが設けられたものである。
【００２７】
板状体２２の平面形状は、基本的に縦長の長方形で、下端部分が丸みを帯びた半円形状である、Ｄ字型形状である。Ｄ字型形状の板状体２２は、例えば、縦、約１３５ｍｍ、横、約６０ｍｍであり、下端の半円形状は、例えば、直径、約１０ｍｍの半円である。
【００２８】
板状体２２の厚さは、柄部１６の取り付けられた上端部分が最も厚く、下端に向かうにつれ薄くなり、下端部分が最も薄くなっている。板状体２２の厚さは、例えば、上端部分は、約１５０ｍｍであり、下端部分は、約２０ｍｍである。
【００２９】
板状体２２の表裏両面２２ａ、２２ｂには長短のブラシ毛２４ａ、２４ｂが設けられている。板状体２２の表裏両面２２ａ、２２ｂに長いブラシ毛２４ａが一定間隔で設けられており、長いブラシ毛２４ａの間に短いブラシ毛２４ｂがそれぞれ設けられている。
【００３０】
長いブラシ毛２４ａは、例えば、太さ、約０．２ｍｍ、長さ、約１０ｍｍである。短いブラシ毛２４ａは、例えば、太さ、約０．２ｍｍ、長さ、約６ｍｍである。長いブラシ毛２４ａが設けられる一定間隔は、約６ｍｍであり、短いブラシ毛２４ｂが設けられる一定間隔は、約６ｍｍである。
【００３１】
板状体２２の厚い上端面２２ｃにも、表裏両面２２ａ、２２ｂと同様に長短のブラシ毛２４ａ、２４ｂが形成されている。板状体２２の上端面２２ｃに長いブラシ毛２４ａが一定間隔で設けられており、長いブラシ毛２４ａの間に短いブラシ毛２４ｂがそれぞれ設けられている。
【００３２】
このようにして、ブラシ部２０の板状体２２の表裏両面２２ａ、２２ｂ、上端面２２ｃに設けられた長短のブラシ毛２４ａ、２４ｂにより、ブラシ部２０の全ての面を用いてトイレを洗浄することできる。
【００３３】
ブラシ部２０の板状体２２には長いブラシ毛２４ａが多数形成され、これら長いブラシ毛２４ａの先端によりブラシ部２０の最外形が形成される。本実施形態では、その最外形が、洗浄用の平らなたわし（束子）の外形のような形状となるようにブラシ毛２４ａの長さが調整されている。
【００３４】
ブラシ部２０の板状体２２、ブラシ毛２４ａ、２４ｂは、例えば、ＥＶＡ樹脂（Ethylene-Vinyl Acetate エチレン-酢酸ビニル共重合樹脂）等の合成樹脂により形成されている。ＥＶＡ樹脂は柔軟性、撥水性に優れた樹脂である。
【００３５】
本実施形態のブラシ部２０は次のような特徴を有している。
【００３６】
ブラシ部２０は柔軟性に優れ、トイレの被洗浄面の形状に沿って変形し、トイレのフチ裏等すみずみまで届くことができる。
【００３７】
ブラシ部２０の板状体２２に長短のブラシ毛２４ａ、２４ｂを設けたので、トイレの被洗浄面を容易に効果的にすり洗いすることができる。
【００３８】
ブラシ部２０の板状体２２に長短のブラシ毛２４ａ、２４ｂを設け、長いブラシ毛２４ａの間隔を広くとることができるので、ブラシ毛２４ａ、２４ｂに汚れが付着する等の目詰まりが起こりにくい。
【００３９】
ブラシ部２０は撥水性に優れたＥＶＡ樹脂により形成されているので、水はけがよく、洗浄後に水がしたたり落ちて周囲を汚すことがない。
【００４０】
最近のトイレ便器自体が表面をハードコーティングして有るため、汚物の付着が少なくて済むようにしている。このため、ブラシなどの硬い素材ではなく、本実施形態のトイレブラシのブラシ毛のような柔らかい素材により洗うことができ、トイレ便器表面を傷付けることがない。本実施形態のトイレブラシによれば、トイレ便器表面を柔らかなスポンジで洗っているかのような使用感を得ることができ、しかも、ブラシ毛が水跳ねを起こす不快感から解放されるという優れた効果を奏する。
【００４１】
（スタンド）
本発明の一実施形態によるトイレブラシを収納するスタンドについて図６乃至図８を用いて説明する。図６は本実施形態によるトイレブラシを収納するスタンドを示す斜視図であり、図７は本実施形態によるトイレブラシをスタンドに収納しようとする状態を示す図であり、図８は本実施形態によるトイレブラシをスタンドに収納した状態を示す図である。
【００４２】
本実施形態のスタンド３０は、上端３０ａが、トイレブラシ１０の鍔部１４の形状に適合する角丸長方形である。上端３０ａの角丸長方形は、例えば、長辺、約１００ｍｍ、短辺、約６５ｍｍである。
【００４３】
スタンド３０の全体形状は、上端３０ａから下方に向かって徐々に広がる戴頭円錐形状をしている。この戴頭円錐形状の各断面は上端３０ａと相似の角丸長方形である。スタンド３０の下端３０ｂは、スタンド３０を置いた際に安定するようにわずかに狭まっている。
【００４４】
スタンド３０の高さは、トイレブラシ１０の収納時にブラシ部２０の先端がスタンド３０の底部に触れないような高さであり、例えば、約２９０ｍｍである。
【００４５】
スタンド３０は、例えば、ホルダー部１２、鍔部１４と同様のＡＢＳ樹脂、ポリプロピレン等の合成樹脂により形成されている。
【００４６】
トイレブラシ１０をスタンド３０に収納するときには、図７に示すように、トイレブラシ１０の先端をスタンド３０の上端３０ａの開口から挿入する。最終的には、図８に示すように、トイレブラシ１０の鍔部１４がスタンド３０の上端３０ａの開口に適合する。このように、トイレブラシ１０の鍔部１４が、スタンド３０の上端３０ａの開口を塞ぎ、スタンド３０の蓋部として機能する。
【００４７】
［変形実施形態］
上記実施形態に限らず種々の変形が可能である。上記実施形態における各種寸法、各部材の材料は、一例であり、これに限定されるものではない。
【符号の説明】
【００４８】
１０…トイレブラシ
１２…ホルダー部
１４…鍔部
１６…柄部
２０…ブラシ部
２２…板状体
２２ａ…表面
２２ｂ…裏面
２２ｃ…上端面
２４ａ…長いブラシ毛
２４ｂ…短いブラシ毛
３０…スタンド
【図１】
2018143741.tif 000003
【図２】
2018143741.tif 000004
【図３】
2018143741.tif 000005
【図４】
2018143741.tif 000006
【図５】
2018143741.tif 000007
【図６】
2018143741.tif 000008
【図７】
2018143741.tif 000009
【図８】
2018143741.tif 000010